(57)【要約】【課題】損券紙幣に対して補充処理などの処理が幾度も繰り返されてしまうことで無駄な処理や時間が発生することを防止し得る紙幣処理装置を提供する。【解決手段】精算機は、紙幣が収納される補充回収部および補充リジェクト部と、紙幣を搬送する搬送部と、紙幣の属性を識別する識別部と、情報を出力する係員表示部５０ａと、制御部および主制御部と、を備える。制御部は、搬送部により紙幣を補充回収部へ搬送させる際に、その紙幣が識別部により損券紙幣であると識別された場合に、その損券紙幣を搬送部により補充リジェクト部へ搬送させる。そして、主制御部は、補充リジェクト部に損券紙幣が存在する旨の第１の情報として、係員表示部５０ａにおいて、損券紙幣の存在を示すためのメッセージＭ１、Ｍ２をディスプレイ５１に表示し、ランプ部５２の黄色ランプ５２Ｙを点滅させる。【選択図】図６
2019046418.tif 000002
【特許請求の範囲】
【請求項１】
紙幣が収納される第１の収納部および第２の収納部と、
前記第１の収納部または前記第２の収納部へ紙幣を搬送する搬送部と、
紙幣の属性を識別する識別部と、
情報を出力する出力部と、
制御部と、を備え、
前記制御部は、
前記搬送部により紙幣を前記第１の収納部へ搬送させる際に、その紙幣が前記識別部により損券紙幣であると識別された場合、その損券紙幣を前記搬送部により前記第２の収納部へ搬送させ、
前記第２の収納部内に損券紙幣が存在する旨の第１の情報を、前記出力部に出力させる、
ことを特徴とする紙幣処理装置。
【請求項２】
前記制御部は、前記搬送部により紙幣を前記第１の収納部へ搬送させる際に、その紙幣が前記識別部により属性の識別ができない場合に、その紙幣をリジェクト紙幣として前記搬送部により前記第２の収納部に搬送させる、
ことを特徴とする請求項１に記載の紙幣処理装置。
【請求項３】
前記制御部は、前記第２の収納部内に前記リジェクト紙幣は存在するが前記損券紙幣が存在しない場合、前記第１の情報と異なる第２の情報を、前記出力部に出力させる、
ことを特徴とする請求項２に記載の紙幣処理装置。
【請求項４】
前記制御部は、前記第２の収容部内の紙幣の中から前記損券紙幣を特定するために利用できる特定情報を、前記出力部に出力させる、
ことを特徴とする請求項２または３に記載の紙幣処理装置。
【請求項５】
前記第２の収納部から出された紙幣が装填される第３の収納部をさらに備え、
前記第１の情報は、前記第２の収納部内の前記損券紙幣と交換された紙幣を前記第３の収納部へ装填することを促すための情報を含む、
ことを特徴とする請求項１ないし４の何れか一項に記載の紙幣処理装置。
【請求項６】
前記出力部は、情報を表示する表示部、情報を音で出力する音出力部および情報を外部装置へ送信可能な通信部のうち、少なくとも一つを含む。
ことを特徴とする請求項１ないし５の何れか一項に記載の紙幣処理装置。
【請求項７】
前記出力部は、前記表示部を含み、
前記第１の収納部および前記第２の収納部は、筐体の内部に配置され、
前記表示部は、前記筐体における前記第２の収納部にアクセス可能な面に設けられる、
ことを特徴とする請求項６に記載の紙幣処理装置。
【請求項８】
前記出力部は、前記表示部を含み、
前記表示部は、前記第２の収納部に設けられる、
ことを特徴とする請求項６に記載の紙幣処理装置。
【発明の詳細な説明】
【技術分野】
【０００１】
本発明は、紙幣の入出金等を行う紙幣処理装置に関する。
【背景技術】
【０００２】
紙幣が金種別に収納される収納部と、収納部に補充される紙幣または収納部から回収された紙幣が収納される補充回収部と、紙幣の金種等の属性を識別する識別部とを備え、補充処理の際には、補充回収部に装填された紙幣を繰り出し、繰り出した紙幣を金種に応じた収納部に収納させる紙幣処理装置が、たとえば、特許文献１に記載されている。かかる紙幣処理装置では、補充処理において、識別部により金種が識別できなった紙幣は、リジェクト紙幣として、収納部や補充回収部とは別に設けられた補充リジェクト部に収納される。
【先行技術文献】
【特許文献】
【０００３】
【特許文献１】特開２０１７−３３１２７号公報
【発明の概要】
【発明が解決しようとする課題】
【０００４】
リジェクト紙幣は、補充リジェクト部から取り出されて補充回収部に充填され、再度、補充処理が行われる。リジェクト紙幣（金種の識別ができない紙幣）の発生の原因の多くは、紙幣の搬送不良（折れ曲がり状態での搬送、斜行搬送、重送など）によるものであり、次回の補充処理では、原因が解消されやすく、リジェクト紙幣が生じにくいためである。
【０００５】
ところで、識別部では、金種の識別はできるものの皺や汚れが著しいために出金用の紙幣には適さない紙幣を、損券紙幣として識別することができる。従来、補充する紙幣の中に損券紙幣が含まれていた場合、その損券紙幣は、リジェクト紙幣と同様に補充リジェクト部に収納される。よって、補充リジェクト部には、リジェクト紙幣と損券紙幣とが、その区別なく収納される。
【０００６】
係員には、損券紙幣とリジェクト紙幣との区別がつきにくく、損券紙幣もリジェクト紙幣と同様に、再度、補充回収部に充填される。この場合、次の補充処理でリジェクト紙幣は、その原因が解消されて収納部にされることになっても、損券紙幣は、再度、補充リジェクト部に収納されることになる。このため、収納部に補充される見込みがない損券紙幣によって、無駄な補充処理が繰り返されてしまう虞がある。
【０００７】
かかる課題に鑑み、本発明は、損券紙幣に対して補充処理などの処理が幾度も繰り返されてしまうことで無駄な処理や時間が発生することを防止し得る紙幣処理装置を提供することを目的とする。
【課題を解決するための手段】
【０００８】
本発明の主たる態様に係る紙幣処理装置は、紙幣が収納される第１の収納部および第２の収納部と、前記第１の収納部または前記第２の収納部へ紙幣を搬送する搬送部と、紙幣の属性を識別する識別部と、情報を出力する出力部と、制御部と、を備える。ここで、前記制御部は、前記搬送部により紙幣を前記第１の収納部へ搬送させる際に、その紙幣が前記識別部により損券紙幣であると識別された場合、その損券紙幣を前記搬送部により前記第２の収納部へ搬送させる。そして、前記制御部は、前記第２の収納部内に損券紙幣が存在する旨の第１の情報を、前記出力部に出力させる。
【０００９】
上記の構成によれば、第２の収納部内から損券紙幣を取り出した際に、その損券紙幣を正常な紙幣に交換することができる。よって、損券紙幣がそのまま用いられることにより、補充処理など第１の収納部へ紙幣の収納する処理が無駄に繰り返されてしまうことを防止できる。
【００１０】
本態様に係る紙幣処理装置において、前記制御部は、前記搬送部により紙幣を前記第１の収納部へ搬送させる際に、その紙幣が前記識別部により属性の識別ができない場合に、その紙幣をリジェクト紙幣として前記搬送部により前記第２の収納部に搬送させるような構成とされ得る。
【００１１】
上記の構成とされた場合、さらに、前記制御部は、前記第２の収納部内に前記リジェクト紙幣は存在するが前記損券紙幣が存在しない場合、前記第１の情報と異なる第２の情報を、前記出力部に出力させるような構成とされ得る。
【００１２】
上記の構成によれば、係員は、第２の収納部に損券紙幣がないことを認識でき、第２の収納部からリジェクト紙幣を取り出して紙幣の交換を行うことなく、再度、第１の収納部へ紙幣の収納する処理を行うことができる。
【００１３】
上記の構成とされた場合、前記制御部は、前記第２の収容部内の紙幣の中から前記損券紙幣を特定するために利用できる特定情報を、前記出力部に出力させるような構成とされ得る。
【００１４】
このような構成とされれば、第２の収納部にリジェクト紙幣と損券紙幣とが混在している場合に、これら紙幣の中から損券紙幣を抜き出して正常な紙幣に交換することができる。
【００１５】
本態様に係る紙幣処理装置において、前記第２の収納部から出された紙幣が装填される第３の収納部をさらに備える構成が採られ得る。この場合、前記第１の情報は、前記第２の収納部内の前記損券紙幣と交換された紙幣を前記第３の収納部へ装填することを促すための情報を含み得る。
【００１６】
上記の構成によれば、係員は、忘れずに、損券紙幣を正常な紙幣に交換して第３の収納部に装填することができる。
【００１７】
本態様に係る紙幣処理装置において、前記出力部は、情報を表示する表示部、情報を音で出力する音出力部および情報を外部装置へ送信可能な通信部のうち、少なくとも一つを含み得る。
【００１８】
前記出力部が、前記表示部を含む場合、前記第１の収納部および前記第２の収納部は、筐体の内部に配置され得る。この場合、前記表示部は、前記筐体における前記第２の収納部にアクセス可能な面に設けられる。
【００１９】
上記の構成によれば、係員は、表示部に出力された第１の情報を確認した後、速やかに第２の収納部の損券紙幣の抜き取り作業に移ることができる。
【００２０】
あるいは、前記出力部が、前記表示部を含む場合、前記表示部は、前記第２の収納部に設けられ得る。
【００２１】
上記の構成によれば、係員は、第２の収納部において第１の情報を確認できる。
【発明の効果】
【００２２】
本発明によれば、損券紙幣に対して補充処理などの処理が幾度も繰り返されてしまうことで無駄な処理や時間が発生することを防止し得る紙幣処理装置を提供することができる。
【００２３】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２４】
【図１】図１（ａ）および（ｂ）は、それぞれ、実施形態に係る、精算機の側面図および背面図である。
【図２】図２は、実施形態に係る、紙幣処理ユニットの構成を示す図である。
【図３】図３（ａ）は、実施形態に係る、精算機の主たる構成を示すブロック図であり、図３（ｂ）は、実施形態に係る、紙幣処理ユニットの主たる構成を示すブロック図である。
【図４】図４は、実施形態に係る、補充処理の制御動作を示すフローチャートである。
【図５】図５は、実施形態に係る、結果情報報知処理の制御動作を示すフローチャートである。
【図６】図６（ａ）ないし（ｃ）は、実施形態に係る、係員表示部による結果情報の報知の一例を示す図である。
【図７】図７（ａ）ないし（ｄ）は、実施形態に係る、入金口部の取込機構の構成について説明するための図である。
【図８】図８は、実施形態に係る、制御部による入金口部への紙幣の取込処理を示すフローチャートである。
【図９】図９（ａ）は、実施形態に係る、複数枚の紙幣を取り込んだ状態の取込機構を示す図であり、図９（ｂ）は、実施形態に係る、一枚の紙幣を取り込んだ状態の取込機構を示す図である。
【図１０】図１０は、実施形態に係る、投出機構の構成を示す図である。
【図１１】図１１は、実施形態に係る、制御部による出金口部からの紙幣の投出処理を示すフローチャートである。
【図１２】図１２（ａ）ないし（ｃ）は、実施形態に係る、紙幣が正常な状態の場合の投出動作について説明するための図である。
【図１３】図１３（ａ）ないし（ｃ）は、実施形態に係る、紙幣にサシミ状態が発生した場合の投出動作について説明するための図である。
【図１４】図１４（ａ）および（ｂ）は、変更例に係る、紙幣処理ユニットの構成を示す図である。
【図１５】図１５は、変更例に係る、取込機構の構成を示す概略図である。
【発明を実施するための形態】
【００２５】
以下、本発明の紙幣処理装置の一実施形態である精算機１について、図面を参照して説明する。
【００２６】
本実施形態において、係員表示部５０ａが、特許請求の範囲に記載の「出力部」および「表示部」に対応する。また、スタッカ１５０および補充回収部１７０が、特許請求の範囲に記載の「第１の収納部」さらに、補充リジェクト部１９０および出金リジェクト部２００が、特許請求の範囲に記載の「第２の収納部」に対応する。さらに、補充回収部１７０が、特許請求の範囲に記載の「第３の収納部」に対応する。さらに、主制御部８０および制御部２１０により、特許請求の範囲に記載の「制御部」が構成される。
【００２７】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２８】
＜精算機の構成＞
図１（ａ）および（ｂ）は、それぞれ、本実施形態に係る、精算機１の側面図および背面図である。
【００２９】
精算機１は、たとえば、競馬場、競艇場などの公営競技施設に設置される。精算機１は、マークシートなどの投票用紙と現金（紙幣、硬貨）とを受け付けて、馬券、舟券などの投票券を発行する。また、精算機１は、当選した投票券を受け付けて、現金を払い戻す。精算機１は、正面が売り場に臨み、背面が係員室に臨む。売り場にいる顧客は、精算機１の正面側にて購入操作や払い戻し操作を行う。係員室にいる係員は、精算機１の背面側にて各種操作を行い、背面側から精算機１の内部にアクセスして、現金の補充および回収、メンテナンス等の作業を行う。
【００３０】
精算機１は、筐体２を備える。筐体２内において、紙幣処理ユニット１０と、硬貨処理ユニット２０とが左右に並ぶように配置され、紙幣処理ユニット１０および硬貨処理ユニット２０の上方にチケット処理ユニット３０が配置される。紙幣処理ユニット１０は、紙幣の入金処理、出金処理などを行う。硬貨処理ユニット２０は、硬貨の入金処理、出金処理などを行う。チケット処理ユニット３０は、投票用紙を受け付けて投票券を発行する処理、当選した投票券を受け付ける処理などを行う。
【００３１】
筐体２の正面２ａには、上方を向く操作面２ｂが形成され、この操作面２ｂに、顧客に操作される操作表示部４０が設けられる。操作表示部４０は、ディスプレイとタッチセンサとからなるタッチパネルで構成され、ディスプレイに各種の画像（画面）を表示するとともに、ディスプレイに対するユーザのタッチ操作をタッチセンサにより検出する。また、筐体２の正面２ａには、操作面２ｂより上の位置に、紙幣処理ユニット１０における紙幣の入金口および出金口、硬貨処理ユニット２０における硬貨の入金口および出金口、並びに、チケット処理ユニット３０における投票用紙や投票券の投入口および投票券の発行口が設けられる。
【００３２】
筐体２の背面２ｃには、背面２ｃの上部を残して大きく開口する開口部３が設けられ、この開口部３が扉体４により覆われる。係員は、扉体４を開放することにより、筐体２の背面２ｃ側から開口部３を通じて、紙幣処理ユニット１０、硬貨処理ユニット２０およびチケット処理ユニット３０にアクセスすることができる。
【００３３】
筐体２の背面２ｃの上部に、係員に対する各種の情報を表示するための係員表示部５０ａと、係員が各種の操作を行うための係員操作部５０ｂとが設けられる。係員表示部５０ａは、画像（画面）が表示されるディスプレイ５１と、赤色ランプ５２Ｒ、黄色ランプ５２Ｙおよび緑色ランプ５２Ｇからなるランプ部５２とで構成される。係員操作部５０ｂは、複数の操作ボタン５３により構成される。
【００３４】
図２は、本実施形態に係る、紙幣処理ユニット１０の構成を示す図である。
【００３５】
紙幣処理ユニット１０は、筐体１００内に、入金口部１１０と、出金口部１２０と、搬送部１３０と、識別部１４０と、２つのスタッカ１５０と、異金種回収部１６０と、補充回収部１７０と、取り忘れ紙幣回収部１８０と、補充リジェクト部１９０と、出金リジェクト部２００とを備える。
【００３６】
筐体１００の正面１００ａには、上部に紙幣の投入出部１０１が設けられる。投入出部１０１には、下側に入金口１０２が形成され、上側に出金口１０３が形成される。筐体１００の背面１００ｂには、ほぼ全面に亘って開口部１０４が形成され、この開口部１０４が扉体１０５によって覆われる。
【００３７】
入金口部１１０および出金口部１２０は、筐体１００内の上部の正面近傍に設けられる。入金口部１１０は入金口１０２に繋がり、出金口部１２０が出金口１０３に繋がる。
【００３８】
入金口部１１０は、取込機構１１１と繰出機構１１２とを備える。入金口１０２には、一度に複数枚の紙幣を束にして投入することができる。紙幣は、その長手方向を入金口１０２へ向けて、入金口１０２へ投入される。入金口１０２に投入された複数枚の紙幣は、取込機構１１１により一度に入金口部１１０の内部に取り込まれ、その後、繰出機構１１２により一枚ずつ入金口部１１０から搬送部１３０へ繰り出される。
【００３９】
出金口部１２０は、投出機構１２１を備える。出金口部１２０には、主に、スタッカ１５０から繰り出された紙幣や、入金口部１１０から繰り出された紙幣のうち、識別部１４０により属性（真偽、金種等）が識別できず、正常な紙幣と見做されなかった紙幣が投出される。搬送部１３０から送られてきた紙幣は、出金口部１２０の内部で集積される。その後、集積されて束状態となった紙幣は、その長手方向が投出方向を向くようにして、投出機構１２１によって一度に出金口１０３へ投出される。
【００４０】
搬送部１３０は、ベルト機構、ローラー機構等により構成される。搬送部１３０は、入金口部１１０と、出金口部１２０と、搬送部１３０と、識別部１４０と、スタッカ１５０と、異金種回収部１６０と、補充回収部１７０と、取り忘れ紙幣回収部１８０と、補充リジェクト部１９０と、出金リジェクト部２００との間に巡らされ、これらの間において紙幣を搬送する。紙幣は、その長手方向（左右方向）が、搬送方向を向くようにして搬送部１３０に搬送される。
【００４１】
識別部１４０は、搬送部１３０に配置され、搬送部１３０を流れる紙幣の属性として、紙幣の真偽および金種を識別する。また、識別部１４０は、紙幣の属性として、紙幣の正損、即ち、紙幣が損券紙幣であるか否かを識別する。
【００４２】
ここで、損券紙幣とは、本物で金種が識別できる紙幣であるが、皺や汚れが著しいために出金用の紙幣としては適さない紙幣である。なお、主に搬送不良（折れ曲った状態での搬送、斜行搬送、重送など）が原因で識別部１４０では属性が識別できない紙幣がリジェクト紙幣と称される。損券紙幣でもリジェクト紙幣でもない紙幣が正常紙幣ということになる。
【００４３】
２つのスタッカ１５０は、筐体１００内の下部に、前後に並ぶように設けられる。以降、前後のスタッカ１５０を区別する場合、前側のスタッカ１５０を第１スタッカ１５０ａと称し、後側のスタッカ１５０を第２スタッカ１５０ｂと称することとする。第２スタッカ１５０ｂの上方に、上から順に、取り忘れ紙幣回収部１８０、異金種回収部１６０、出金リジェクト部２００、補充回収部１７０、補充リジェクト部１９０が設けられる。
【００４４】
スタッカ１５０は、入金された紙幣を金種別に収納するために利用される。たとえば、第１スタッカ１５０ａに千円の金種が割り当てられ、第２スタッカ１５０ｂに一万円の金種が割り当てられ得る。スタッカ１５０内には、紙幣が上下に積まれるように収納される。スタッカ１５０には、紙幣を一枚ずつ搬送部１３０へ繰り出すための繰出機構１５１が設けられる。
【００４５】
異金種回収部１６０は、入金された二千円、五千円の紙幣を収納するために利用される。補充回収部１７０は、スタッカ１５０へ補充する紙幣を収納するため、および、スタッカ１５０から回収した紙幣を収納するために利用される。取り忘れ紙幣回収部１８０は、出金口１０３に投出されたが一定時間が経過しても顧客に取り出されなかった紙幣を収納するために利用される。異金種回収部１６０内、補充回収部１７０内および取り忘れ紙幣回収部１８０内には、紙幣が上下に積まれるように収納される。補充回収部１７０には、紙幣を一枚ずつ搬送部１３０へ繰り出すための繰出機構１７１が設けられる。
【００４６】
補充リジェクト部１９０には、スタッカ１５０へ紙幣を補充する際、識別部１４０による識別結果に基づいて、リジェクト紙幣および損券紙幣が収納される。出金リジェクト部２００には、スタッカ１５０から紙幣を出金する際または回収する際、識別部１４０での識別結果に基づいて、リジェクト紙幣および損券紙幣が収納される。
【００４７】
係員は、筐体１００の背面１００ｂの扉体１０５を開放し、開口部１０４を通じて筐体１００内にアクセスすることにより、補充回収部１７０に紙幣を装填したり、異金種回収部１６０、補充回収部１７０、取り忘れ紙幣回収部１８０、補充リジェクト部１９０および出金リジェクト部２００から紙幣を抜き取ったりすることができる。
【００４８】
図３（ａ）は、本実施形態に係る、精算機１の主たる構成を示すブロック図である。
【００４９】
精算機１は、上述した紙幣処理ユニット１０、硬貨処理ユニット２０、チケット処理ユニット３０、操作表示部４０、係員表示部５０ａおよび係員操作部５０ｂの他、音出力部６０、通信部７０、主制御部８０および主記憶部９０を備える。
【００５０】
音出力部６０は、操作表示部４０および係員表示部５０ａの近傍にそれぞれ設けられたスピーカを含み、各スピーカから音声、メロディー、ビープ音等の音を出力する。通信部７０は、外部装置との間で通信を行う。
【００５１】
主制御部８０は、ＣＰＵ（Central Processing Unit）等の演算回路を備え、主記憶部９０に記憶された動作プログラムに従って、操作表示部４０、係員表示部５０ａ、係員操作部５０ｂ、音出力部６０、通信部７０等を制御したり、紙幣処理ユニット１０の制御部２１０、硬貨処理ユニット２０の制御部２１およびチケット処理ユニット３０の制御部３１との間で通信を行ったりする。また、主記憶部９０は、ＲＯＭ（Read Only Memory）、ＲＡＭ（Random Access Memory）やハードディスク等の記憶媒体を備え、主制御部８０の動作プログラムを記憶し、また、主制御部８０の制御処理の際にワーク領域として利用される。
【００５２】
図３（ｂ）は、本実施形態に係る、紙幣処理ユニット１０の主たる構成を示すブロック図である。
【００５３】
紙幣処理ユニット１０は、上述した入金口部１１０、出金口部１２０、搬送部１３０、識別部１４０、スタッカ１５０、異金種回収部１６０、補充回収部１７０、取り忘れ紙幣回収部１８０、補充リジェクト部１９０、出金リジェクト部２００の他、制御部２１０および記憶部２２０を備える。
【００５４】
制御部２１０は、ＣＰＵ（Central Processing Unit）等の演算回路を備え、記憶部２２０に記憶された動作プログラムに従って、入金口部１１０の取込機構１１１および繰出機構１１２、出金口部１２０の投出機構１２１、搬送部１３０、識別部１４０、スタッカ１５０の繰出機構１５１、補充回収部１７０の繰出機構１７１等を制御する。また、記憶部２２０は、ＲＯＭ（Read Only Memory）、ＲＡＭ（Random Access Memory）やハードディスク等の記憶媒体を備え、制御部２１０の動作プログラムを記憶し、また、制御部２１０の制御処理の際にワーク領域として利用される。
【００５５】
＜紙幣処理ユニットの動作＞
次に、精算機１における、紙幣処理ユニット１０の動作について説明する。
【００５６】
紙幣処理ユニット１０において、入金処理の際には、入金口１０２に投入された紙幣が、入金口部１１０内に取り込まれた後に搬送部１３０に繰り出される。繰り出された紙幣は、搬送部１３０により搬送されつつ識別部１４０により真偽、金種および正損が識別される。識別の結果、正常紙幣および損券紙幣は、その金種に割り当てられたスタッカ１５０または異金種回収部１６０に収納される。一方、リジェクト紙幣は、出金口部１２０を通じて出金口１０３に投出される。
【００５７】
出金処理の際には、払い戻し額に応じた金種の紙幣が、その金種に割り当てられたスタッカ１５０から搬送部１３０に繰り出される。繰り出された紙幣は、搬送部１３０により搬送され、識別部１４０により真偽、金種および正損が識別される。識別の結果、正常紙幣は、出金口部１２０を通じて出金口１０３に投出される。一方、リジェクト紙幣および損券紙幣は、出金リジェクト部２００に収納される。
【００５８】
紙幣処理ユニット１０では、スタッカ１５０内の紙幣が少なくなると、係員によりスタッカ１５０内の紙幣を補充する補充処理が行われ、スタッカ１５０内の紙幣が満杯状態に近くなると、係員によりスタッカ１５０内の紙幣を回収する回収処理が行われる。補充処理および回収処理が終了した後には、補充処理および回収処理の結果に係る情報が、係員表示部５０ａによって係員に報知される。
【００５９】
まず、紙幣の補充処理について説明する。
【００６０】
図４は、本実施形態に係る、補充処理の制御動作を示すフローチャートである。
【００６１】
係員は、精算機１の背面２ｃの扉体４と紙幣処理ユニット１０の背面１００ｂの扉体１０５とを開放し、補充回収部１７０内に紙幣を装填した後、係員操作部５０ｂの操作ボタン５３を用いて補充処理の開始操作を行う。これにより、紙幣処理ユニット１０の制御部２１０が補充処理を開始する。
【００６２】
制御部２１０は、繰出機構１７１により補充回収部１７０から一枚ずつ紙幣を繰り出させて搬送部１３０に搬送させ（Ｓ１０１）、搬送部１３０を流れる紙幣の属性（真偽、金種、正損等）を識別部１４０により識別する（Ｓ１０２）。
【００６３】
識別部１４０よる識別の結果、紙幣が正常紙幣である場合（Ｓ１０３：ＹＥＳ）、制御部２１０は、搬送部１３０により、その紙幣をスタッカ１５０へ搬送させる（Ｓ１０４）。補充される紙幣が、千円であれば、第１スタッカ１５０ａに収納され、一万円であれば、第２スタッカ１５０ｂに収納される。
【００６４】
識別部１４０よる識別の結果、紙幣が正常紙幣でない場合（Ｓ１０３：ＮＯ）、制御部２１０は、その紙幣がリジェクト紙幣であるか損券紙幣であるかを判定する（Ｓ１０５）。制御部２１０は、その内部にリジェクトフラグおよび損券フラグを有しており、上記判定の結果、紙幣がリジェクト紙幣であれば（Ｓ１０５：リジェクト）、リジェクトフラグをセットし（Ｓ１０６）、紙幣が損券紙幣であれば（Ｓ１０５：損券）、損券フラグをセットする（Ｓ１０７）。そして、制御部２１０は、リジェクト紙幣または損券紙幣である紙幣を、搬送部１３０により補充リジェクト部１９０へ搬送する（Ｓ１０８）。
【００６５】
制御部２１０は、全ての紙幣の収納が完了したか否かを判定する（Ｓ１０９）。全ての紙幣の収納が完了するまで、Ｓ１０１ないしＳ１０８の処理が繰り返される。なお、Ｓ１０６およびＳ１０８において、既にリジェクトフラグおよび損券フラグがセットされている場合には、これらフラグのセット状態が維持される。
【００６６】
全ての紙幣の収納が完了すると（Ｓ１０９：ＹＥＳ）、制御部２１０は、繰出機構１７１および搬送部１３０を停止させ、紙幣の操出および搬送を停止させる（Ｓ１１０）。そして、制御部２１０は、処理が完了したことを示す処理完了情報を主制御部８０へ送信する（Ｓ１１１）。さらに、制御部２１０は、損券フラグがセットされているか否かを判定し（Ｓ１１２）、損券フラグがセットされていれば（Ｓ１１２：ＹＥＳ）、補充リジェクト部１９０内に損券紙幣が存在することを示す損券紙幣有り情報を主制御部８０へ送信する（Ｓ１１３）。一方、損券フラグがセットされていなければ（Ｓ１１２：ＮＯ）、制御部２１０は、リジェクトフラグがセットされているか否かを判定する（Ｓ１１４）。そして、リジェクトフラグがセットされていれば（Ｓ１１４：ＹＥＳ）、補充リジェクト部１９０内にリジェクト紙幣が存在することを示すリジェクト紙幣有り情報を主制御部８０へ送信する（Ｓ１１５）。損券フラグおよびリセットフラグの何れもがリセット状態のままである場合には、主制御部８０へ処理完了情報のみが送信されることとなる。
【００６７】
こうして、補充処理が終了する。なお、リジェクトフラグおよび損券フラグがセットされている場合は、補充処理の終了あるいは次の補充処理の開始のタイミングでリジェクトフラグおよび損券フラグがリセットされる。
【００６８】
次に、紙幣の回収処理について説明する。
【００６９】
係員は、補充回収部１７０内が空である状態において、係員操作部５０ｂの操作ボタン５３を用いて回収処理の開始操作を行う。これにより、紙幣処理ユニット１０の制御部２１０が回収処理を開始する。
【００７０】
回収処理における制御部２１０による制御動作は、図４に示す補充処理における制御動作とほぼ同様である。ただし、回収処理では、Ｓ１０１において、繰出機構１５１によりスタッカ１５０から紙幣が繰出され、Ｓ１０４において、正常紙幣が補充回収部１７０へ搬送される。また、Ｓ１０８において、リジェクト紙幣または損券紙幣が出金リジェクト部２００へ搬送される。
【００７１】
このようにして、回収処理では、回収される紙幣がスタッカ１５０から繰り出されて補充回収部１７０へ搬送され、この際に、リジェクト紙幣または損券紙幣が発生すれば、リジェクトフラグまたは損券フラグがセットされるとともに、その紙幣が出金リジェクト部２００へ搬送される。そして、処理の完了後、損券フラグがセットされていれば、損券紙幣有り情報が主制御部８０へ送信され、リジェクトフラグがセットされていれば、リジェクト紙幣有り情報が主制御部８０へ送信される。
【００７２】
制御部２１０による補充処理や回収処理と並行して、主制御部８０は、処理結果に係る情報を係員表示部５０ａにより係員に報知する処理（結果情報報知処理）を行う。
【００７３】
図５は、本実施形態に係る、結果情報報知処理の制御動作を示すフローチャートである。
【００７４】
主制御部８０は、紙幣処理ユニット１０からの処理完了情報を受信したか否かを監視する（Ｓ２０１）。上述の通り、補充処理または回収処理が完了すると、紙幣処理ユニット１０から処理完了情報が主制御部８０へ送信される。
【００７５】
処理完了情報を受信すると（Ｓ２０１：ＹＥＳ）、主制御部８０は、処理完了情報とともに損券紙幣有り情報を受信したか否かを判定する（Ｓ２０２）。補充処理または回収処理において少なくとも損券紙幣が発生した場合、紙幣処理ユニット１０から損券紙幣有り情報が主制御部８０へ送信される。損券紙幣有り情報が受信された場合（Ｓ２０２：ＹＥＳ）、主制御部８０は、係員表示部５０ａに、損券紙幣が発生したときの報知を行わせる（Ｓ２０３）。
【００７６】
損券紙幣有り情報が受信されなかった場合（Ｓ２０２：ＮＯ）、主制御部８０は、処理完了情報とともにリジェクト紙幣有り情報を受信したか否かを判定する（Ｓ２０４）。補充処理または回収処理において損券紙幣が発生せずリジェクト紙幣が発生した場合、紙幣処理ユニット１０からリジェクト紙幣有り情報が主制御部８０へ送信される。リジェクト紙幣有り情報が受信された場合（Ｓ２０４：ＹＥＳ）、主制御部８０は、係員表示部５０ａに、損券紙幣が発生せずリジェクト紙幣のみが発生したときの報知を行わせる（Ｓ２０５）。
【００７７】
リセット紙幣有り情報が受信されなかった場合（Ｓ２０４：ＮＯ）、主制御部８０は、係員表示部５０ａに、リセット紙幣も損券紙幣も発生せず処理が正常に完了したときの報知を行わせる（Ｓ２０６）。
【００７８】
図６（ａ）ないし（ｃ）は、本実施形態に係る、係員表示部５０ａによる結果情報の報知の一例を示す図である。図６（ａ）は、少なくとも損券紙幣が発生したときの報知例を示し、図６（ｂ）は、損券紙幣は発生せずリジェクト紙幣が発生したときの報知例を示し、図６（ｃ）は、リジェクト紙幣および損券紙幣が発生せず補充処理が正常に終了したときの報知例を示す。
【００７９】
補充処理の結果、少なくとも損券紙幣が発生した場合、即ち、補充リジェクト部１９０に少なくとも損券紙幣が存在する場合、図６（ａ）に示すように、ディスプレイ５１上では、結果情報画面Ｓ１の状態表示の欄に“補充リジェクト部搬送有り”とのメッセージＭ１が載せられ、運用の欄に“補充リジェクト部に損券紙幣が搬送されています。紙幣を抜き取り、交換した後、再補充してください。”とのメッセージＭ２が載せられる。また、ランプ部５２では、黄色ランプ５２Ｙが点滅する。メッセージＭ１、メッセージＭ２および黄色ランプ５２Ｙの点滅は、補充リジェクト部１９０に損券紙幣が存在する旨の第１の情報を構成する。また、メッセージＭ２は、補充リジェクト部１９０の損券紙幣と交換された紙幣を補充回収部１７０へ装填することを促すための情報となる。
【００８０】
次に、補充処理の結果、リジェクト紙幣のみが発生した場合、即ち、補充リジェクト部１９０に損券紙幣が存在せずリジェクト紙幣のみが存在する場合、図６（ｂ）に示すように、ディスプレイ５１上では、結果情報画面Ｓ１の状態表示の欄に“補充リジェクト部搬送有り”とのメッセージＭ１が載せられ、運用の欄には何もメッセージが載せられない。また、ランプ部５２では、黄色ランプ５２Ｙが点滅する。メッセージＭ１および黄色ランプ５２Ｙの点滅は、第１の情報とは異なる、補充リジェクト部１９０内にリジェクト紙幣は存在するが損券紙幣が存在しない場合の第２の情報を構成する。
【００８１】
次に、補充処理が正常に完了した場合、図６（ｃ）に示すように、ディスプレイ５１上では、結果情報画面Ｓ１の状態表示の欄および運用の欄に何もメッセージが載せられない。また、ランプ部５２では、緑色ランプ５２Ｇが点灯する。
【００８２】
なお、上記の例では、補充リジェクト部１９０に損券紙幣が存在する場合もリジェクト紙幣のみが存在する場合もランプ部５２の黄色ランプ５２Ｙが点滅した。しかしながら、一方の場合に黄色ランプ５２Ｙが点滅し、他方の場合に黄色ランプ５２Ｙが点灯するようにしてもよい。
【００８３】
回収処理の結果、出金リジェクト部２００に少なくとも損券紙幣が存在する場合の係員表示部５０ａによる報知は、図６（ａ）に示すものとほぼ同様である。ただし、状態表示の欄には、“出金リジェクト部搬送有り”とのメッセージＭ１が載せられ、運用の欄に“出金リジェクト部に損券紙幣が搬送されています。紙幣を抜き取り、交換した後、再回収してください。”とのメッセージＭ２が載せられる。また、回収処理の結果、出金リジェクト部２００にリジェクト紙幣のみが存在する場合の係員表示部５０ａによる報知は、図６（ｂ）に示すものとほぼ同様である。ただし、状態表示の欄には、“出金リジェクト部搬送有り”とのメッセージＭ１が載せられる。さらに、回収処理が正常に完了した場合の係員表示部５０ａによる報知は、図６（ｃ）に示すものと同様である。
【００８４】
係員は、補充処理の後、図６（ａ）のような、補充リジェクト部１９０に少なくとも損券紙幣が存在するときの報知を受けると、補充リジェクト部１９０内の紙幣を全て抜き取り、抜き取った紙幣を損券紙幣が含まれない紙幣に交換した後、これら紙幣を補充回収部１７０へ装填し、再度、補充処理を開始させる。また、係員は、補充処理の後、図６（ｂ）のような、補充リジェクト部１９０にリジェクト紙幣のみが存在するときの報知を受けると、補充リジェクト部１９０内の紙幣を全て抜き取り、紙幣の交換を行うことなく、抜き取った紙幣を補充回収部１７０へ装填し、再度、補充処理を開始させる。
【００８５】
係員は、回収処理の後、出金リジェクト部２００に少なくとも損券紙幣が存在するときの報知を受けると、出金リジェクト部２００内の紙幣を全て抜き取り、抜き取った紙幣を損券紙幣が含まれない紙幣に交換する。そして、係員は、これら紙幣を補充回収部１７０へ装填し、補充回収部１７０からスタッカ１５０へ紙幣を戻す処理を行った後、再度、回収処理を開始させる。また、係員は、回収処理の後、出金リジェクト部２００にリジェクト紙幣のみが存在するときの報知を受けると、出金リジェクト部２００内の紙幣を全て抜き取り、紙幣の交換を行うことなく、抜き取った紙幣を補充回収部１７０へ装填し、補充回収部１７０からスタッカ１５０へ紙幣を戻す処理を行った後、再度、回収処理を開始させる。
【００８６】
＜取込機構の構成と動作＞
次に、入金口部１１０の取込機構１１１の構成と、取込機構１１１による紙幣の取込動作について説明する。
【００８７】
図７（ａ）ないし（ｄ）は、本実施形態に係る、入金口部１１０の取込機構１１１の構成について説明するための図である。図７（ａ）は、取込機構１１１の正面図であり、図７（ｂ）は、取込機構１１１の右側面図であり、図７（ｃ）は、投入出部１０１および取込機構１１１の側面断面図であり、図７（ｄ）は、投入出部１０１および取込機構１１１の平面断面図である。
【００８８】
取込機構１１１は、フレーム部３１０と、搬送ベルト部３２０と、取込みローラー部３３０とを備える。フレーム部３１０は、紙幣の短手方向の幅よりやや広い間隔で対向する左右の側面フレーム３１１と、左右の側面フレーム３１１の上端部に跨るように配された天面フレーム３１２と、左右の側面フレーム３１１の間に掛け渡された載置プレート３１３とを含む。左右の側面フレーム３１１には、前下部に上下方向に延びるガイド孔３１１ａが形成される。載置プレート３１３は、フレーム部３１０の前部に位置し、入金口１０２にセットされた紙幣の前端部を受ける。載置プレート３１３には、取込みローラー３３１が通る開口部３１３ａが形成される。
【００８９】
搬送ベルト部３２０は、フレーム部３１０内の上部に、前後方向に沿うように配置される。搬送ベルト部３２０は、左右に並ぶ３つの前ローラー３２１と、前ローラー３２１の後方に位置し、左右に並ぶ３つの後ローラー３２２と、前ローラー３２１と後ローラー３２２とに掛け渡される３つの搬送ベルト３２３と、３つの前ローラー３２１が固定される前ローラー軸３２４と、３つの後ローラー３２２が固定される後ローラー軸３２５とを含む。前ローラー軸３２４および後ローラー軸３２５は、それら両端部が左右の側面フレーム３１１に回転自在に支持される。搬送ベルト部３２０は、図示しない駆動装置により駆動され、３つの搬送ベルト３２３が前後方向に周回する。
【００９０】
取込みローラー部３３０は、左右に並ぶ３つの取込みローラー３３１と、３つの取込みローラー３３１が固定されるローラー軸３３２と、ローラー軸３３２を回転自在に支持する支持部３３３とを備える。３つの取込みローラー３３１は、３つの前ローラー３２１の真下に位置する。支持部３３３の左右両側には、それぞれ、上下に並ぶ上ガイド軸３３４および下ガイド軸３３５が設けられる。支持部３３３は、左右の上ガイド軸３３４および下ガイド軸３３５が、左右の側面フレーム３１１のガイド孔３１１ａ内を案内されることにより、上下方向に移動することができる。
【００９１】
取込みローラー部３３０は、さらに、２つのバネ３３６と、ほぼ楕円形のカム３３７と、カム３３７を回転させるモータ３３８とを含む。２つのバネ３３６は、支持部３３３と左右の側面フレーム３１１との間に取り付けられ、取込みローラー３３１が取り付けられた支持部３３３を上方に押し上げる。カム３３７は、右側の上ガイド軸３３４と接触する。図７（ｂ）に示すように、カム３３７は、モータ３３８により回転され、その長手方向が上下方向い沿う第１状態（実線）と、その短手方向が上下方向に沿う第２状態（一点鎖線）とに切り替わる。
【００９２】
カム３３７が第１状態にあるときは、カム３３７によって上ガイド軸３３４とともに支持部３３３が押し下げられる。このときは、取込みローラー３３１が、載置プレート３１３よりも下に位置する。カム３３７が回転して第２状態になると、支持部３３３がバネ３３６によって押し上げられる。これにより、取込みローラー３３１が、載置プレート３１３よりも上方に移動して搬送ベルト部３２０（前ローラー３２１）に接近する。なお、搬送ベルト部３２０と取込みローラー３３１との間に紙幣がなければ、取込みローラー３３１は、上ガイド軸３３４がカム３３７に接触する位置まで上昇し、搬送ベルト部３２０にほぼ接触する状態となる。
【００９３】
また、取込機構１１１には、フレーム部３１０の前部の右端部と左端部とに入金口１０２へ紙幣が挿入されたことを検知するための挿入検知センサ３４０が設けられ、これら挿入検知センサ３４０の後方に、入金口１０２での紙幣の残留を検知するための残留検知センサ３５０が設けられる。挿入検知センサ３４０および残留検知センサ３５０は、取り込まれる紙幣よりも上側と下側とにそれぞれ配置された発光素子３４１、３５１と受光素子３４２、３５２とを含む。
【００９４】
さらに、取込機構１１１には、入金口１０２に投入された紙幣が一枚であることを検知するための一枚紙幣検知部３６０が設けられる。図７（ｃ）に示すように、一枚紙幣検知部３６０は、圧力センサ３６１と、押圧部３６２とを含む。圧力センサ３６１は、その検出面が下を向くように、側面フレーム３１１から内側に突出する取付部３１４に取り付けられる。押圧部３６２は、圧力センサ３６１の検出面に接触する押圧ピン３６３を有し、支持部３３３に取り付けられる。圧力センサ３６１の高さ位置と、押圧部３６２の支持部３３３への取付高さ位置は、取込みローラー３３１が一枚の紙幣をグリップしたときに、圧力センサ３６１の検出面が押圧ピン３６３に所定の圧力で押圧されるように調整される。
【００９５】
図７（ｄ）に示すように、入金口１０２は、その間口を広くするため、左右の幅が前方に向かうに従って拡がるよう構成されている。これにより、顧客は、入金口１０２に紙幣を投入しやすくなる。
【００９６】
入金口１０２に複数の紙幣が束状態で挿入されたとき、入金口１０２の間口が拡げられているために、全ての紙幣が入金口１０２に対して真直ぐに揃えられず、斜めになった紙幣が混在する場合が出てくる。紙幣が斜めの状態のまま入金口部１１０に取り込まれ、その状態のまま搬送部１３０に搬送されると、ジャム(紙幣詰まり)の発生やリジェクト紙幣の発生に繋がる虞がある。そこで、複数の紙幣が出来る限り真直ぐに揃った状態で入金口部１１０に取り込まれるよう、取込機構１１１により、札揃え動作が行われる。札揃え動作は、紙幣が入金口部１１０内へ少し取り込まれた状態において、紙幣をグリップしていた取込みローラー３３１を下降させてグリップを開放し、入金口部１１０の入口の側壁、即ち、左右の側面フレーム３１１で紙幣を矯正することにより、紙幣を真直ぐな状態にする動作である。
【００９７】
しかしながら、取り込まれる紙幣が一枚である場合は、紙幣が斜めになっていても、札揃え動作なしにそのまま取り込まれるだけで、入金口部１１０の入口で矯正されて真直ぐな状態となりやすい。よって、このような場合にまで札揃え動作が行われると、取込時間、延いては入金処理等の処理時間が無駄に長引きやすい。そこで、本実施形態では、入金口部１１０に取り込まれる紙幣が一枚である場合に札揃え動作を行わないようにすることで、処理時間が無駄に長引かないようにしている。
【００９８】
図８は、本実施形態に係る、制御部２１０による入金口部１１０への紙幣の取込処理を示すフローチャートである。図９（ａ）は、本実施形態に係る、複数枚の紙幣を取り込んだ状態の取込機構１１１を示す図であり、図９（ｂ）は、本実施形態に係る、一枚の紙幣を取り込んだ状態の取込機構１１１を示す図である。
【００９９】
入金口１０２に紙幣が投入され、挿入検知センサ３４０により紙幣が検知されると取込処理が開始される。制御部２１０は、モータ３３８を動作させてカム３３７を第２状態とすることにより、取込みローラー３３１を上昇させる（Ｓ３０１）。これにより、紙幣が取込みローラー３３１によってグリップされる。
【０１００】
次に、制御部２１０は、搬送ベルト部３２０を動作させて、第１段階の紙幣の取込みを行う（Ｓ３０２）。即ち、制御部２１０は、搬送ベルト部３２０の動作後、残留検知センサ３５０が紙幣を検知すると、搬送ベルト部３２０を停止させる。
【０１０１】
次に、制御部２１０は、取り込まれた紙幣が一枚であるか否かを判定する（Ｓ３０３）。図９（ａ）のように、取り込まれた紙幣が複数枚である場合、一枚紙幣検知部３６０では、押圧ピン３６３が圧力センサ３６１の検知面に接触しない。あるいは、押圧ピン３６３が圧力センサ３６１の検知面に接触したとしても、紙幣が一枚であるときの所定の圧力は生じない。一方、図９（ｂ）のように、取り込まれた紙幣が一枚である場合、一枚紙幣検知部３６０では、押圧ピン３６３が圧力センサ３６１の検知面を所定の圧力で押圧する。制御部２１０は、圧力センサ３６１が所定の圧力（ある程度の圧力範囲を有する）で押されたことを検知した場合に、紙幣が一枚であると判定する。
【０１０２】
取り込まれた紙幣が一枚でない場合（Ｓ３０３：ＮＯ）、制御部２１０は、札揃え動作を行う（Ｓ３０４）。即ち、制御部２１０は、モータ３３８を動作させてカム３３７を第１状態とすることにより、一旦、取込みローラー３３１を下降させ、その後、取込みローラー３３１を上昇させる。その後、制御部２１０は、搬送ベルト部３２０を動作させて、第２段階の紙幣の取込みを行う（Ｓ３０５）。即ち、制御部２１０は、搬送ベルト部３２０を動作させ、残留検知センサ３５０が紙幣を検知しなくなると、搬送ベルト部３２０を停止させる。これにより、入金口部１１０内に最後まで紙幣が取り込まれる。
【０１０３】
一方、取り込まれた紙幣が一枚である場合（Ｓ３０３：ＮＯ）、制御部２１０は、札揃え動作を行うことなく、第２段階の紙幣の取込みを行う（Ｓ３０５）。
【０１０４】
その後、制御部２１０は、取込みローラー３３１を下降せて（Ｓ３０６）、取込処理を終了させる。
【０１０５】
＜投出機構の構成と動作＞
次に、出金口部１２０の投出機構１２１の構成と、投出機構１２１による紙幣の投出動作について説明する。
【０１０６】
図１０は、本実施形態に係る、投出機構１２１の構成を示す図である。
【０１０７】
投出機構１２１は、搬送ベルト部４１０と、ステージ部４２０と、出口検知センサ４３０と、第１残留検知センサ４４０と、第２残留検知センサ４５０と、第３残留検知センサ４６０と、第４残留検知センサ４７０とを備える。
【０１０８】
搬送ベルト部４１０は、前後方向に沿うように配置される。搬送ベルト部４１０は、前ローラー４１１と、前ローラー４１１の後方に位置する後ローラー４１２と、前ローラー４１１と後ローラー４１２とに掛け渡される搬送ベルト４１３と、前ローラー４１１と後ローラー４１２との間に配される４つの補助ローラー４１４とを含む。搬送ベルト部４１０は、図示しない駆動装置により駆動され、搬送ベルト４１３が前後方向に周回する。
【０１０９】
ステージ部４２０は、搬送ベルト部４１０の下方に、前後方向に沿うように配置される。ステージ部４２０は、ステージ本体４２１と、ステージ本体４２１の前側に設けられた２つの大型ローラー４２２と、ステージ本体４２１の後側に設けられた４つの小型ローラー４２３とを含む。大型ローラー４２２と小型ローラー４２３は、ステージ本体４２１の上面より僅かに上方へ突き出しており、これら大型ローラー４２２および小型ローラー４２３の上に紙幣が載せられる。ステージ部４２０は、図示しない昇降装置によって昇降される。
【０１１０】
出口検知センサ４３０は、搬送ベルト部４１０およびステージ部４２０の前方に設けられる。第１残留検知センサ４４０および第２残留検知センサ４５０は、搬送ベルト部４１０およびステージ部４２０の前側において前後に並ぶ。第３残留検知センサ４６０および第４残留検知センサ４７０は、搬送ベルト部４１０およびステージ部４２０の後側において前後に並ぶ。出口検知センサ４３０、第１残留検知センサ４４０、第２残留検知センサ４５０、第３残留検知センサ４６０および第４残留検知センサ４７０は、投出される紙幣よりも上側と下側とにそれぞれ配置された発光素子４３１、４４１、４５１、４６１、４７１と受光素子４３２、４４２、４５２、４６２、４７２とを含み、紙幣を検知する。
【０１１１】
出金口１０３に束状態で投出される紙幣は、前後の端が揃っていることが望ましい。しかしながら、稀ではあるが、束状態の紙幣が、各紙幣の前後の端が少しずれた状態で出金口１０３に投出される場合がある。このように、各紙幣が少しずれて束状に重ねられた状態を、以降「サシミ状態」と称することとする。
【０１１２】
サシミ状態の紙幣が出金口１０３に投出された場合、後ろにずれた紙幣が、出金口１０３の外に出ない状態となることが生じ得る。この場合、顧客は、出金口１０３から出ている紙幣のみを抜き取り、出金口１０３の外に出ていない紙幣を取り忘れる虞がある。そこで、本実施形態では、サシミ状態の発生に対応し得る紙幣の投出動作が行われる。サシミ状態の発生を検知する検知部として、第４残留検知センサ４７０が用いられる。
【０１１３】
図１１は、本実施形態に係る、制御部２１０による出金口部１２０からの紙幣の投出処理を示すフローチャートである。
【０１１４】
出金口部１２０に紙幣がないとき、ステージ部４２０は下降した状態にある。出金枚数分の紙幣が搬送部１３０からステージ部４２０に搬送され、ステージ部４２０の上に集積される。出金枚数分の紙幣がステージ部４２０に集積されると、投出処理が開始される。
【０１１５】
制御部２１０は、ステージ部４２０を上昇させる（Ｓ４０１）。これにより、ステージ部４２０の上に載せられた紙幣が、搬送ベルト部４１０に接触する。次に、制御部２１０は、搬送ベルト部４１０を動作させて、サシミ状態を判定する判定位置まで紙幣を出金口１０３側へ移動させる（Ｓ４０２）。たとえば、制御部２１０は、出口検知センサ４３０が紙幣を検知してから予め定めた第１時間が経過したときに、判定位置に到達したとして搬送ベルト部４１０を停止させる。この判定位置は、サシミ状態が発生していないときには、束状態の紙幣の後端部が第４残留検知センサ４７０の位置に残らず、サシミ状態が発生しているときには、紙幣のずれにより全長が長くなった束状態の紙幣の後端部が第４残留検知センサ４７０の位置に残るような位置に設定される。
【０１１６】
紙幣が判定位置まで移動すると、制御部２１０は、サシミ状態の発生の有無を判定する（Ｓ４０３）。制御部２１０は、第４残留検知センサ４７０により紙幣が検知されていなければ、サシミ状態が発生していないと判定し、第４残留検知センサ４７０により紙幣が検知されていれば、サシミ状態が発生していると判定する。
【０１１７】
サシミ状態が発生していない場合（Ｓ４０３：ＮＯ）、制御部２１０は、搬送ベルト部４１０を動作させて、最終的に紙幣が投出される抜取位置まで紙幣を移動させる（Ｓ４０４）。たとえば、制御部２１０は、第３残留検知センサ４６０がそれまで検出していた紙幣を検知しなくなってから予め定めた第２時間が経過したときに、抜取位置に到達したとして搬送ベルト部４１０を停止させる。紙幣の前側が出金口１０３から露出し、顧客が紙幣を抜き取れるようになる。
【０１１８】
その後、制御部２１０は、ステージ部４２０を下降せて（Ｓ４０５）、投出処理を終了させる。
【０１１９】
一方、サシミ状態が発生している場合（Ｓ４０３：ＹＥＳ）、制御部２１０は、今回の投出動作におけるサシミ状態の検知回数が閾値を超えているか否かを判定する（Ｓ４０６）。検知回数が閾値を超えていなければ（Ｓ４０６：ＹＥＳ）、制御部２１０は、サシミ状態を解消する解消動作として、搬送ベルト部４１０を反対方向に動作させて、紙幣を判定位置へ移動させる前の初期位置へ戻し（Ｓ４０７）、その後、ステージ部４２０を下降させる（Ｓ４０８）。このような動作により、束状態の紙幣において各紙幣の位置が動くことが期待され、サシミ状態が解消されることが期待される。
【０１２０】
Ｓ４０７およびＳ４０８の解消動作の後、制御部２１０は、投出動作を再開させるべく、ステージ部４２０を再び上昇させる（Ｓ４０１）。
【０１２１】
解消動作が幾度か行われても、サシミ状態が解消しない場合、Ｓ４０６で検知回数が閾値を超えたと判定される（Ｓ４０６：ＹＥＳ）。この場合、制御部２１０は、サシミ状態の解消を諦めて、操作表示部４０での表示や音出力部６０から音声により、サシミ状態が発生していることを報知する（Ｓ４０９）。その後、制御部２１０は、搬送ベルト部４１０を動作させて、抜取位置まで紙幣を移動させる（Ｓ４０４）。
【０１２２】
図１２（ａ）ないし（ｃ）は、本実施形態に係る、紙幣が正常な状態の場合の投出動作について説明するための図である。図１３（ａ）ないし（ｃ）は、本実施形態に係る、紙幣にサシミ状態が発生した場合の投出動作について説明するための図である。
【０１２３】
図１２（ａ）のように、紙幣がステージ部４２０に正常に集積された場合、図１２（ｂ）のように、束状態の紙幣が判定位置まで移動されたとき、紙幣の後端部が第４残留検知センサ４７０の位置よりも前に位置することになる。この場合は、紙幣がサシミ状態でないと判定されるため、図１２（ｃ）のように、束状態の紙幣が抜き取り位置まで移動され、紙幣の前部が出金口１０３から外に出る。
【０１２４】
一方、図１３（ａ）のように、紙幣がステージ部４２０にサシミ状態で集積された場合、図１３（ｂ）のように、束状態の紙幣が判定位置まで移動されたとき、紙幣の後端部が第４残留検知センサ４７０の位置に残ることになる。この場合は、紙幣がサシミ状態であると判定されるため、解消動作が行われる。この結果、図１３（ｃ）のように、サシミ状態が解消され得る。
【０１２５】
＜実施形態の効果＞
本実施形態によれば、以下の効果が奏され得る。
【０１２６】
補充処理が行われた結果、補充リジェクト部１９０に損券紙幣が存在する場合や回収処理行われた結果、出金リジェクト部２００に損券紙幣が存在する場合に、損券紙幣が存在する旨の情報が係員表示部５０ａにより出力される。これにより、係員は、損券紙幣を正常紙幣に交換して、再度、補充処理や回収処理を行うことができる。よって、損券紙幣が含まれたまま、補充処理や回収処理が再開されることで、これら処理が無駄に繰り返されてしまうことを防止できる。
【０１２７】
また、補充リジェクト部１９０や出金リジェクト部２００に損券紙幣が存在せずリジェクト紙幣が存在する場合に、損券紙幣が存在する場合と異なる情報が係員表示部５０ａにより出力される。これにより、係員は、補充リジェクト部１９０や出金リジェクト部２００に損券紙幣がないことを認識でき、補充リジェクト部１９０や出金リジェクト部２００からリジェクト紙幣を取り出して紙幣の交換を行うことなく、再度、補充処理や回収処理を行うことができる。
【０１２８】
さらに、係員表示部５０ａのディスプレイ５１に表示される結果情報画面Ｓ１には、運用の欄に、補充リジェクト部１９０の損券紙幣と交換された紙幣を補充回収部１７０へ装填することを促すため情報であるメッセージＭ２が含まれるので、係員は、忘れずに、損券紙幣を正常紙幣に交換して補充回収部１７０に装填することができる。
【０１２９】
さらに、係員表示部５０ａは、筐体２において、補充リジェクト部１９０や出金リジェクト部２００へのアクセスが可能となる背面２ｃに設けられているので、係員は、係員表示部５０ａに出力された情報を確認した後、速やかに補充リジェクト部１９０や出金リジェクト部２００の紙幣（リジェクト紙幣や損券紙幣）の抜き取り作業に移ることができる。
【０１３０】
さらに、入金口部１１０に入金口１０２から紙幣が取り込まれる際、その紙幣が一枚であれば札揃え作業が行われないので、取込時間、延いては入金処理等の処理時間が無駄に長引くことを防止できる。
【０１３１】
さらに、出金口部１２０から出金口１０３へ紙幣が投出される際、紙幣にサシミ状態が発生していれば、解消作業、サシミ状態の報知など、サシミ状態に対応する処理が行われる。これにより、出金口１０３に投出された紙幣を顧客が取り忘れることが防止される。
【０１３２】
以上、本発明の実施形態について説明したが、本発明は、上記実施形態によって何ら制限されるものではなく、また、本発明の実施形態も、上記以外に種々の変更が可能である。
【０１３３】
＜変更例＞
上記実施形態において、補充リジェクト部１９０や出金リジェクト部２００に収納された紙幣の中から損券紙幣を特定するために利用できる特定情報として、たとえば、損券紙幣の金種、損券紙幣の収納順番（何番目に収納されたかを示す情報）のうち少なくとも何れかの情報を、損券紙幣が存在する旨の情報に加えて係員表示部５０ａにより出力することができる。この場合、図４に示す補充処理のＳ１０７において、制御部２１０は、損券フラグをセットする際に、特定情報（金種、収納順番）を記憶部２２０に記憶させる。そして、Ｓ１１３において、制御部２１０は、損券紙幣有情報とともに特定情報を主制御部８０へ送信する。さらに、図５に示す結果情報報知処理のＳ２０３において、制御部２１０は、損券紙幣が発生したときの報知として、結果情報画面Ｓ１に特定情報を含める。
【０１３４】
このような構成とすれば、補充リジェクト部１９０や出金リジェクト部２００にリジェクト紙幣と損券紙幣とが混在している場合に、これら紙幣の中から損券紙幣を抜き出して正常紙幣に交換することができる。
【０１３５】
また、上記実施形態では、補充リジェクト部１９０や出金リジェクト部２００に損券紙幣が存在しているときの報知が係員表示部５０ａの表示により行われた。しかしながら、このような報知が音出力部６０からの音声により行われてもよい。たとえば、音出力部６０から“補充リジェクト部（出金リジェクト部）に損券紙幣があります。回収してください。”という音声が報知されてもよい。この場合、音出力部６０が、特許請求の範囲に記載の「出力部」に対応する。同様に、補充リジェクト部１９０や出金リジェクト部２００にリジェクト紙幣のみが存在しているときの報知が音出力部６０からの音声により行われてもよい。
【０１３６】
さらに、上記実施形態では、補充リジェクト部１９０や出金リジェクト部２００に損券紙幣が存在しているときの報知が、係員表示部５０ａのディスプレイ５１とランプ部５２とを用いて行われた。しかしながら、このような報知が、ディスプレイ５１のみ、あるいはランプ部５２のみにより行われてもよい。たとえば、ディスプレイ５１のみによる報知の場合は、図６（ａ）の結果情報画面Ｓ１と同じ画面がディスプレイ５１に表示される。ランプ部５２のみによる報知の場合は、損券紙幣が存在するときの報知として黄色ランプ５２Ｙが点灯する。このとき、リジェクト紙幣のみが存在するときの報知は、黄色ランプ５２Ｙの点滅となる。また、ランプ部５２に青色ランプを追加し、損券紙幣が存在するときの報知として青色ランプを点滅あるいは点灯させるようにしてもよい。
【０１３７】
さらに、上記実施形態において、補充リジェクト部１９０や出金リジェクト部２００に損券紙幣が存在しているとき、その旨の情報が通信部７０を介して係員のパソコンや携帯電話機などの外部装置に送信されてもよい。この場合、通信部７０が、特許請求の範囲に記載の「出力部」に対応する。
【０１３８】
さらに、図１４（ａ）に示すように、紙幣処理ユニット１０にディスプレイ２３０が設けられてもよい。この場合、ディスプレイ２３０に係員表示部５０ａのディスプレイ５１に表示された、図６（ａ）ないし（ｃ）のような結果情報画面Ｓ１が表示される。この場合、ディスプレイ２３０が、特許請求の範囲に記載の「表示部」に対応する。
【０１３９】
さらに、図１４（ｂ）に示すように、紙幣処理ユニット１０の補充リジェクト部１９０と出金リジェクト部２００に報知ランプ１９１、２０１が設けられてもよい。この構成では、たとえば、補充リジェクト部１９０に損券紙幣が存在する場合に、制御部２１０が補充リジェクト部１９０の報知ランプ１９１を点滅あるいは点灯させ、出金リジェクト部２００に損券紙幣が存在する場合に、制御部２１０が出金リジェクト部２００の報知ランプ２０１を点滅あるいは点灯させる。この場合、損券紙幣が存在しないときは、報知ランプ１９１、２０１が点灯あるいは点滅してもよく、消灯してもよい。この場合、報知ランプ１９１、２０１が、特許請求の範囲に記載の「表示部」に対応する。
【０１４０】
このような構成とした場合、係員は、補充リジェクト部１９０および出金リジェクト部２００において、損券紙幣が存在するときの報知を確認できる。
【０１４１】
さらに、上記実施形態では、入金口部１１０に取り込まれる紙幣が一枚であることを、圧力センサ３６１を用いた一枚紙幣検知部３６０により検知したが、図１５に示すような超音波センサ３７０により検知してもよい。超音波センサ３７０は、取り込まれる紙幣よりも上側と下側とにそれぞれ配置された発信部３７１と受信部３７２とを含む。発信部３７１から発信された超音波が紙幣を通過して受信部３７２に受信される。受信される超音波の強さが、一枚の紙幣を通過したときの強さである場合に、制御部２１０は、入金口部１１０に取り込まれる紙幣が一枚であると判定する。一方、制御部２１０は、受信される超音波の強さが、所定値（一枚のときの発光量）より小さい場合は、紙幣が複数枚であると判定する。
【０１４２】
さらに、入金口部１１０に取り込まれる紙幣が一枚であることを、挿入検知センサ３４０あるいは残留検知センサ３５０により検知することも可能である。通常は、紙幣が一枚でも紙幣を光が通過しないよう、発光素子３４１、３５１の発光量が設定されている。一枚の紙幣を透過する発光量が予め試験等により取得され、紙幣が一枚であることを検知する場合に、その発光量の光が発光素子３４１、３５１から発せられる。この光を受光素子３４２、３５２が検知した場合、制御部２１０は、入金口部１１０に取り込まれる紙幣が一枚であると判定する。一方、制御部２１０は、光が検知されなかった場合は、紙幣が複数枚であると判定する。
【０１４３】
さらに、上記実施形態では、本発明の紙幣処理装置が、精算機１に適用された例が示された。しかながら、本発明の紙幣処理装置が、精算機１以外に、たとえば、銀行等の金融機関の窓口に設置され、テラーにより貨幣の入金処理、出金処理等が行われる貨幣入出金機、スーパーマーケット等に設置される、キャッシュレジスタ（ＰＯＳ端末）と釣銭機とからなるレジスタシステムなどに適用されてもよい。なお、本発明の紙幣処理装置がレジスタシステムに適用された場合、釣銭機における損券紙幣の存在がキャッスレジスタの表示部を用いて報知されてもよいし、釣銭機自身の表示部を用いて報知されてもよい。
【０１４４】
この他、本発明の実施形態は、特許請求の範囲に記載の範囲で適宜変更可能である。
【符号の説明】
【０１４５】
１  精算機（紙幣処理装置）
２  筐体
５０ａ  係員表示部（出力部、表示部）
６０  音出力部（出力部）
７０  通信部（出力部）
８０  主制御部
１３０  搬送部
１４０  識別部
１５０  スタッカ（第１の収納部）
１７０  補充回収部（第１の収納部、第３の収納部）
１９０  補充リジェクト部（第２の収納部）
１９１  報知ランプ（表示部）
２００  出金リジェクト部（第２の収納部）
２０１  報知ランプ（表示部）
２１０  制御部
２３０  ディスプレイ（表示部）
【図１】
2019046418.tif 000003
【図２】
2019046418.tif 000004
【図３】
2019046418.tif 000005
【図４】
2019046418.tif 000006
【図５】
2019046418.tif 000007
【図６】
2019046418.tif 000008
【図７】
2019046418.tif 000009
【図８】
2019046418.tif 000010
【図９】
2019046418.tif 000011
【図１０】
2019046418.tif 000012
【図１１】
2019046418.tif 000013
【図１２】
2019046418.tif 000014
【図１３】
2019046418.tif 000015
【図１４】
2019046418.tif 000016
【図１５】
2019046418.tif 000017